(57)【要約】【課題】  適切な送信先にエラーの発生を通知することのできるエラー通知方法を提案する。【解決手段】  画像処理装置においてエラーが発生すると、ホストに対して、エラー発生時に処理されていたジョブの実行者、ジョブの種類、およびエラーの種類等のエラー情報が通知される（Ｓ１０３）。ホストでは、エラーが発生したときに処理されていたジョブの種類に基づいてサポート情報の送信先を決定し（Ｓ２０３）、ナレッジベースより、そのジョブにおけるエラーの種類に基づいてサポート情報を検索し（Ｓ３０１〜Ｓ３０５）、送信先に通知する（Ｓ２０９）。【選択図】        図８
2007060404.tif 000002
【特許請求の範囲】
【請求項１】
情報処理装置より、エラー発生時に処理されていたジョブの種類に関する情報を取得する取得ステップと、
ジョブの種類とサポート情報を送信する送信先との対応を記憶する記憶装置にアクセスし、前記取得ステップにおいて取得された前記ジョブの種類に関する情報に基づいて送信先を決定する送信先決定ステップと、
前記決定ステップにおいて決定された送信先に、サポート情報を送信する送信ステップとを備える、エラー通知方法。
【請求項２】
前記取得ステップにおいて、前記情報処理装置より、発生した前記エラーに関する情報をさらに取得し、
エラーの種類とサポート情報との対応が記憶されたサポート情報記憶装置にアクセスして、前記エラーに関する情報に応じたサポート情報を決定するサポート情報決定ステップをさらに備え、
前記送信ステップにおいて、前記送信先決定ステップで決定された前記送信先に、前記サポート情報決定ステップで決定された前記サポート情報を送信する、請求項１に記載のエラー通知方法。
【請求項３】
前記取得ステップにおいて、前記情報処理装置より、前記ジョブの実行者に関する情報と、前記情報処理装置の識別情報とをさらに取得し、
前記送信先決定ステップにおいて、前記ジョブの種類に関する情報、前記ジョブの実行者に関する情報、および前記情報処理装置の識別情報に基づいて送信先を決定する、請求項２に記載のエラー通知方法。
【請求項４】
前記ジョブは、他のジョブと共に構成されるジョブ群に含まれる１つのジョブであり、前記ジョブと前記他のジョブとは所定のタイミングで実行されるものであり、
前記取得ステップにおいて、前記情報処理装置より前記他のジョブに関する情報をさらに取得し、
前記送信先決定ステップにおいて、前記ジョブの種類に関する情報、および前記他のジョブに関する情報に基づいて送信先を決定する、請求項１〜３のいずれかに記載のエラー通知方法。
【請求項５】
前記他のジョブに関する情報は、前記他のジョブの実行者に関する情報を含む、請求項４に記載のエラー通知方法。
【請求項６】
情報処理装置において、エラーの発生を検出するステップと、
前記エラーの発生時に処理されていたジョブを検出するステップと、
前記情報処理装置から他の装置に対して、前記ジョブの種類に関する情報を送信する送信ステップとを備える、エラー通知方法。
【請求項７】
前記送信ステップにおいて、前記エラーに関する情報をさらに送信する、請求項６に記載のエラー通知方法。
【請求項８】
前記送信ステップにおいて、前記ジョブの実行者に関する情報と、前記情報処理装置の識別情報とをさらに送信する、請求項７に記載のエラー通知方法。
【請求項９】
前記ジョブは、他のジョブと共に構成されるジョブ群に含まれる１つのジョブであり、前記ジョブと前記他のジョブとは所定のタイミングで実行されるものであり、
前記送信ステップにおいて、前記他のジョブに関する情報をさらに送信する、請求項６〜８のいずれかに記載のエラー通知方法。
【請求項１０】
前記他のジョブに関する情報は、前記他のジョブの実行者に関する情報を含む、請求項９に記載のエラー通知方法。
【請求項１１】
情報処理装置におけるエラーを通知する処理をコンピュータに実行させるプログラムであって、
前記情報処理装置より、エラー発生時に処理されていたジョブの種類に関する情報を取得する取得ステップと、
ジョブの種類とサポート情報を送信する送信先との対応を記憶する記憶装置にアクセスし、前記取得ステップにおいて取得された前記ジョブの種類に関する情報に基づいて送信先を決定する送信先決定ステップと、
前記決定ステップにおいて決定された送信先に、サポート情報を送信する送信ステップとを実行させる、エラー通知プログラム。
【請求項１２】
前記取得ステップにおいて、前記情報処理装置より、発生した前記エラーに関する情報をさらに取得し、
エラーの種類とサポート情報との対応が記憶されたサポート情報記憶装置にアクセスして、前記エラーに関する情報に応じたサポート情報を決定するサポート情報決定ステップをさらに実行させ、
前記送信ステップにおいて、前記送信先決定ステップで決定された前記送信先に、前記サポート情報決定ステップで決定された前記サポート情報を送信する、請求項１１に記載のエラー通知プログラム。
【請求項１３】
前記取得ステップにおいて、前記情報処理装置より、前記ジョブの実行者に関する情報と、前記情報処理装置の識別情報とをさらに取得し、
前記送信先決定ステップにおいて、前記ジョブの種類に関する情報、前記ジョブの実行者に関する情報、および前記情報処理装置の識別情報に基づいて送信先を決定する、請求項１２に記載のエラー通知プログラム。
【請求項１４】
前記ジョブは、他のジョブと共に構成されるジョブ群に含まれる１つのジョブであり、前記ジョブと前記他のジョブとは所定のタイミングで実行されるものであり、
前記取得ステップにおいて、前記情報処理装置より前記他のジョブに関する情報をさらに取得し、
前記送信先決定ステップにおいて、前記ジョブの種類に関する情報、および前記他のジョブに関する情報に基づいて送信先を決定する、請求項１１〜１３のいずれかに記載のエラー通知プログラム。
【請求項１５】
前記他のジョブに関する情報は、前記他のジョブの実行者に関する情報を含む、請求項１４に記載のエラー通知プログラム。
【請求項１６】
情報処理装置においてエラーを通知する処理を、コンピュータに実行させるプログラムであって、
前記情報処理装置において、エラーの発生を検出するステップと、
前記エラーの発生時に処理されていたジョブを検出するステップと、
前記情報処理装置から他の装置に対して、前記ジョブの種類に関する情報を送信する送信ステップとを実行させる、エラー通知プログラム。
【請求項１７】
前記送信ステップにおいて、前記エラーに関する情報をさらに送信する、請求項１６に記載のエラー通知プログラム。
【請求項１８】
前記送信ステップにおいて、前記ジョブの実行者に関する情報と、前記情報処理装置の識別情報とをさらに送信する、請求項１７に記載のエラー通知プログラム。
【請求項１９】
前記ジョブは、他のジョブと共に構成されるジョブ群に含まれる１つのジョブであり、前記ジョブと前記他のジョブとは所定のタイミングで実行されるものであり、
前記送信ステップにおいて、前記他のジョブに関する情報をさらに送信する、請求項１６〜１８のいずれかに記載のエラー通知プログラム。
【請求項２０】
前記他のジョブに関する情報は、前記他のジョブの実行者に関する情報を含む、請求項１９に記載のエラー通知プログラム。
【請求項２１】
情報処理装置より、エラー発生時に処理されていたジョブの種類に関する情報を取得する取得手段と、
ジョブの種類とサポート情報を送信する送信先との対応を記憶する記憶装置にアクセスし、前記取得手段で取得された前記ジョブの種類に関する情報に基づいて送信先を決定する送信先決定手段と、
前記決定手段で決定された送信先に、サポート情報を送信する送信手段とを備える、エラー通知装置。
【請求項２２】
前記取得手段は、前記情報処理装置より、発生した前記エラーに関する情報をさらに取得し、
エラーの種類とサポート情報との対応が記憶されたサポート情報記憶装置にアクセスして、前記エラーに関する情報に応じたサポート情報を決定するサポート情報決定手段をさらに備え、
前記送信手段は、前記送信先決定手段で決定された前記送信先に、前記サポート情報決定手段で決定された前記サポート情報を送信する、請求項２１に記載のエラー通知装置。
【請求項２３】
前記取得手段は、前記情報処理装置より、前記ジョブの実行者に関する情報と、前記情報処理装置の識別情報とをさらに取得し、
前記送信先決定手段は、前記ジョブの種類に関する情報、前記ジョブの実行者に関する情報、および前記情報処理装置の識別情報に基づいて送信先を決定する、請求項２２に記載のエラー通知装置。
【請求項２４】
前記ジョブは、他のジョブと共に構成されるジョブ群に含まれる１つのジョブであり、前記ジョブと前記他のジョブとは所定のタイミングで実行されるものであり、
前記取得手段は、前記情報処理装置より前記他のジョブに関する情報をさらに取得し、
前記送信先決定手段は、前記ジョブの種類に関する情報、および前記他のジョブに関する情報に基づいて送信先を決定する、請求項２１〜２３のいずれかに記載のエラー通知装置。
【請求項２５】
前記他のジョブに関する情報は、前記他のジョブの実行者に関する情報を含む、請求項２４に記載のエラー通知装置。
【請求項２６】
エラーの発生を検出する手段と、
前記エラーの発生時に処理されていたジョブを検出する手段と、
他の装置に対して、前記エラーに関する情報と、前記ジョブの種類に関する情報を送信する送信手段とを備える、エラー通知装置。
【請求項２７】
前記送信手段は、前記エラーに関する情報をさらに送信する、請求項２６に記載のエラー通知装置。
【請求項２８】
前記送信手段は、前記ジョブの実行者に関する情報と、前記情報処理装置の識別情報とをさらに送信する、請求項２７に記載のエラー通知装置。
【請求項２９】
前記ジョブは、他のジョブと共に構成されるジョブ群に含まれる１つのジョブであり、前記ジョブと前記他のジョブとは所定のタイミングで実行されるものであり、
前記送信手段は、前記他のジョブに関する情報をさらに送信する、請求項２６〜２８のいずれかに記載のエラー通知装置。
【請求項３０】
前記他のジョブに関する情報は、前記他のジョブの実行者に関する情報を含む、請求項２９に記載のエラー通知装置。
【発明の詳細な説明】
【技術分野】
【０００１】
この発明はエラー通知方法、エラー通知プログラム、およびエラー通知装置に関し、特に、適切な送信先にエラーの発生を通知することのできるエラー通知方法、エラー通知プログラム、およびエラー通知装置に関する。
【背景技術】
【０００２】
ネットワーク環境において、プリンタ等の機器が共有で用いられる場合がある。このように用いられる機器においてエラーが発生した場合に、エラーに対処するための情報（サポート情報）を受取って、その情報を参照して対処することがなされている。
【０００３】
ところが、ネットワーク環境で機器が用いられている場合や、操作後しばらく経ってからエラーが発生した場合など、上記サポート情報を受取る場所がエラー発生時に操作者のいる場所とは限らないことがある。このように、エラーが発生している場所またはエラーに対処しなければならない場所と、サポート情報を受取る場所とが離れている場合、ユーザは非常に不便を感じる。
【０００４】
このような問題を解決する技術として、たとえば、以下の特許文献１は、複写機管理デバイスにおいて複写機から取得する定期通信レポートより故障データを受信すると、故障の種類を特定する情報と受信時刻とに応じて特定されるホストコンピュータに対してレポートを送信する、画像形成装置の管理システムを開示している。
【０００５】
また、以下の特許文献２も、デジタル複合機などの電子機器において自己の状態を診断し、その診断結果に応じた送信先にその状態を示す情報を送信する技術を開示している。
【０００６】
特許文献３は、ジョブ情報や消耗品情報等の内容／用途の異なる情報を、情報に応じた送信先に送信するプリンタを開示している。
【０００７】
特許文献４は、エラーが放置された場合や印刷物または原稿が放置された場合に、その処理の指示を行なったユーザ端末や予め登録された通知先端末に通知を行なう画像処理装置を開示している。
【特許文献１】特開平８−２２３３９６号公報
【特許文献２】特開２００２−２３６５７６号公報
【特許文献３】特開２００５−１１２８号公報
【特許文献４】特開２００５−４５５５１号公報
【発明の開示】
【発明が解決しようとする課題】
【０００８】
しかしながら、上記特許文献に開示されている方法は、エラーの発生やその時刻、消耗品の情報など、機器の状態に応じた相手に通知を行なう方法であるので、対処するユーザのいる場所に的確に送られない場合もあるという問題があった。
【０００９】
また、いわゆるワークフローと呼ばれる、所定のタイミングで実行される複数のジョブの組合わせに対してエラーが発生した場合には、ジョブに応じた相手に通知する必要がある場合もあり、上記特許文献に開示されている方法では、適切な相手に通知されない場合もあるいう問題もある。
【００１０】
本発明はこのような問題に鑑みてなされたものであって、エラー発生時に、適切な相手にサポート情報を提供することのできるエラー通知方法、エラー通知プログラム、およびエラー通知装置を提供することを目的とする。
【課題を解決するための手段】
【００１１】
上記目的を達成するために、本発明のある局面に従うと、エラー通知方法は、情報処理装置より、エラー発生時に処理されていたジョブの種類に関する情報を取得する取得ステップと、ジョブの種類とサポート情報を送信する送信先との対応を記憶する記憶装置にアクセスし、取得ステップにおいて取得されたジョブの種類に関する情報に基づいて送信先を決定する送信先決定ステップと、決定ステップにおいて決定された送信先に、サポート情報を送信する送信ステップとを備える。
【００１２】
また、エラー通知方法は、取得ステップにおいて、情報処理装置より、発生したエラーに関する情報をさらに取得し、エラーの種類とサポート情報との対応が記憶されたサポート情報記憶装置にアクセスして、エラーに関する情報に応じたサポート情報を決定するサポート情報決定ステップをさらに備え、送信ステップにおいて、送信先決定ステップで決定された送信先に、サポート情報決定ステップで決定されたサポート情報を送信することが好ましい。
【００１３】
さらに、上記取得ステップにおいて、情報処理装置より、ジョブの実行者に関する情報と、情報処理装置の識別情報とを取得し、送信先決定ステップにおいて、ジョブの種類に関する情報、ジョブの実行者に関する情報、および情報処理装置の識別情報に基づいて送信先を決定することがより好ましい。
【００１４】
また、上記ジョブは、他のジョブと共に構成されるジョブ群に含まれる１つのジョブであり、上記ジョブと他のジョブとは所定のタイミングで実行されるものであり、取得ステップにおいて、情報処理装置より他のジョブに関する情報をさらに取得し、送信先決定ステップにおいて、ジョブの種類に関する情報、および他のジョブに関する情報に基づいて送信先を決定することが好ましい。
【００１５】
さらに、他のジョブに関する情報は、他のジョブの実行者に関する情報を含むことがより好ましい。
【００１６】
本発明の他の局面に従うと、エラー通知方法は、情報処理装置において、エラーの発生を検出するステップと、エラーの発生時に処理されていたジョブを検出するステップと、情報処理装置から他の装置に対して、ジョブの種類に関する情報を送信する送信ステップとを備える。
【００１７】
また、送信ステップにおいて、エラーに関する情報も送信することが好ましい。
さらに、送信ステップにおいて、ジョブの実行者に関する情報と、情報処理装置の識別情報とを送信することがより好ましい。
【００１８】
また、上記ジョブは、他のジョブと共に構成されるジョブ群に含まれる１つのジョブであり、上記ジョブと他のジョブとは所定のタイミングで実行されるものであり、送信ステップにおいて、他のジョブに関する情報をさらに送信することが好ましい。
【００１９】
さらに、上記他のジョブに関する情報は、他のジョブの実行者に関する情報を含むことがより好ましい。
【００２０】
本発明のさらに他の局面に従うと、エラー通知プログラムは、情報処理装置におけるエラーを通知する処理をコンピュータに実行させるプログラムであって、情報処理装置より、エラー発生時に処理されていたジョブの種類に関する情報を取得する取得ステップと、ジョブの種類とサポート情報を送信する送信先との対応を記憶する記憶装置にアクセスし、取得ステップにおいて取得されたジョブの種類に関する情報に基づいて送信先を決定する送信先決定ステップと、決定ステップにおいて決定された送信先に、サポート情報を送信する送信ステップとを実行させる。
【００２１】
また、エラー通知プログラムは、取得ステップにおいて、情報処理装置より、発生したエラーに関する情報をさらに取得し、エラーの種類とサポート情報との対応が記憶されたサポート情報記憶装置にアクセスして、エラーに関する情報に応じたサポート情報を決定するサポート情報決定ステップをさらに実行させ、送信ステップにおいて、送信先決定ステップで決定された送信先に、サポート情報決定ステップで決定されたサポート情報を送信することが好ましい。
【００２２】
さらに、上記取得ステップにおいて、情報処理装置より、ジョブの実行者に関する情報と、情報処理装置の識別情報とを取得し、送信先決定ステップにおいて、ジョブの種類に関する情報、ジョブの実行者に関する情報、および情報処理装置の識別情報に基づいて送信先を決定することがより好ましい。
【００２３】
また、上記ジョブは、他のジョブと共に構成されるジョブ群に含まれる１つのジョブであり、上記ジョブと他のジョブとは所定のタイミングで実行されるものであり、取得ステップにおいて、情報処理装置より他のジョブに関する情報をさらに取得し、送信先決定ステップにおいて、ジョブの種類に関する情報、および他のジョブに関する情報に基づいて送信先を決定することが好ましい。
【００２４】
さらに、他のジョブに関する情報は、他のジョブの実行者に関する情報を含むことがより好ましい。
【００２５】
本発明のさらに他の局面に従うと、エラー通知プログラムは、情報処理装置においてエラーを通知する処理を、コンピュータに実行させるプログラムであって、情報処理装置において、エラーの発生を検出するステップと、エラーの発生時に処理されていたジョブを検出するステップと、情報処理装置から他の装置に対して、ジョブの種類に関する情報を送信する送信ステップとを実行させる。
【００２６】
また、送信ステップにおいて、エラーに関する情報も送信することが好ましい。
さらに、送信ステップにおいて、ジョブの実行者に関する情報と、情報処理装置の識別情報とを送信することがより好ましい。
【００２７】
また、上記ジョブは、他のジョブと共に構成されるジョブ群に含まれる１つのジョブであり、上記ジョブと他のジョブとは所定のタイミングで実行されるものであり、送信ステップにおいて、他のジョブに関する情報をさらに送信することが好ましい。
【００２８】
さらに、上記他のジョブに関する情報は、他のジョブの実行者に関する情報を含むことがより好ましい。
【００２９】
本発明のさらに他の局面に従うと、エラー通知装置は、情報処理装置より、エラー発生時に処理されていたジョブの種類に関する情報を取得する取得手段と、ジョブの種類とサポート情報を送信する送信先との対応を記憶する記憶装置にアクセスし、取得手段で取得されたジョブの種類に関する情報に基づいて送信先を決定する送信先決定手段と、決定手段で決定された送信先に、サポート情報を送信する送信手段とを備える。
【００３０】
また、取得手段は、情報処理装置より、発生したエラーに関する情報をさらに取得し、エラーの種類とサポート情報との対応が記憶されたサポート情報記憶装置にアクセスして、エラーに関する情報に応じたサポート情報を決定するサポート情報決定手段をさらに備え、送信手段は、送信先決定手段で決定された送信先に、サポート情報決定手段で決定されたサポート情報を送信することが好ましい。
【００３１】
さらに、取得手段は、情報処理装置より、ジョブの実行者に関する情報と、情報処理装置の識別情報とを取得し、送信先決定手段は、ジョブの種類に関する情報、ジョブの実行者に関する情報、および情報処理装置の識別情報に基づいて送信先を決定することがより好ましい。
【００３２】
また、上記ジョブは、他のジョブと共に構成されるジョブ群に含まれる１つのジョブであり、上記ジョブと他のジョブとは所定のタイミングで実行されるものであり、取得手段は、情報処理装置より他のジョブに関する情報をさらに取得し、送信先決定手段は、ジョブの種類に関する情報、および他のジョブに関する情報に基づいて送信先を決定することが好ましい。
【００３３】
さらに、他のジョブに関する情報は、他のジョブの実行者に関する情報を含むことがより好ましい。
【００３４】
本発明のさらに他の局面に従うと、エラー通知装置は、エラーの発生を検出する手段と、エラーの発生時に処理されていたジョブを検出する手段と、他の装置に対して、エラーに関する情報と、ジョブの種類に関する情報を送信する送信手段とを備える。
【００３５】
また、送信手段は、エラーに関する情報も送信することが好ましい。
さらに、送信手段は、ジョブの実行者に関する情報と、情報処理装置の識別情報とを送信することがより好ましい。
【００３６】
また、上記ジョブは、他のジョブと共に構成されるジョブ群に含まれる１つのジョブであり、上記ジョブと他のジョブとは所定のタイミングで実行されるものであり、送信手段は、他のジョブに関する情報をさらに送信することが好ましい。
【００３７】
さらに、上記他のジョブに関する情報は、他のジョブの実行者に関する情報を含むことがより好ましい。
【発明の効果】
【００３８】
本発明にかかるエラー通知方法によると、エラー発生時に、エラーが発生した情報処理装置からエラーに関する情報とエラー発生時に処理されていたジョブに関する情報とを含むエラー情報が送信される。情報処理装置においては、そのエラー情報を取得することで、エラー通知を行なう装置では、ジョブに応じた適切な送信先に、エラーに応じたサポート情報を送信し、エラーを通知することが可能となる。
【００３９】
また、本発明にかかるエラー通知プログラムによると、コンピュータに、エラー発生時に、エラーが発生した情報処理装置からエラーに関する情報とエラー発生時に処理されていたジョブに関する情報とを含むエラー情報を送信する処理を実行させる。また、そのエラー情報を取得することで、エラー通知を行なう装置では、ジョブに応じた適切な送信先に、エラーに応じたサポート情報を送信し、エラーを通知する処理を実行させることが可能となる。
【００４０】
また、本発明にかかるエラー通知装置によると、エラー発生時に、エラーに関する情報とエラー発生時に処理されていたジョブに関する情報とを含むエラー情報を送信する。また他の装置からそのエラー情報を取得することで、ジョブに応じた適切な送信先に、エラーに応じたサポート情報を送信し、エラーを通知することが可能となる。
【発明を実施するための最良の形態】
【００４１】
以下に、図面を参照しつつ、本発明の実施の形態について説明する。以下の説明では、同一の部品および構成要素には同一の符号を付してある。それらの名称および機能も同じである。
【００４２】
［第１の実施の形態］
図１は、第１の実施の形態にかかる情報処理システムの構成の具体例を示す図である。
【００４３】
図１を参照して、第１の実施の形態にかかる情報処理システムは、情報処理装置の一例としての画像処理装置１と、画像処理装置１を遠隔診断するホスト３と、ユーザ端末５とを含んで構成され、それらの機器が有線または無線のネットワーク７を介して接続されている。
【００４４】
画像処理装置１としては、コピー機、プリンタ、またはそれらの複合機器であるＭＦＰ（Multi Function Peripherals）等が該当する。本実施の形態において画像処理装置１はＭＦＰであるものとし、図２に、ＭＦＰである画像処理装置１のハードウェア構成の具体例をブロック図で示す。
【００４５】
図２を参照して、画像処理装置１は、装置全体を制御するＣＰＵ（Central Processing Unit）１１と、原稿から画像データを読取るイメージリーダ部３９と、用紙上に画像を印刷するプリンタ部２１と、図示されない拡張スロットに挿入し、画像処理装置１をネットワーク７や電話回線に接続したり、近距離の無線通信を行なったりするための拡張カードであるＮＩＣ（Network Interface Card）１５と、ＨＤ（Hard Disc）などから構成されて、ジョブやＣＰＵ１１で実行されるプログラムなどを記憶するための記憶部１３と、ユーザとのインタフェースであるパネル１７と、消耗品の残量などを検出するセンサ部２３とを含んで構成される。
【００４６】
図３は、画像処理装置１において、本実施の形態にかかるエラー通知処理を行なうための機能構成の具体例を示すブロック図である。図３に示される機能構成は、ＣＰＵ１１が記憶部１３に記憶されるプログラムを実行することでＣＰＵ１１に形成される機能である。
【００４７】
図３を参照して、画像処理装置１においてエラー通知処理を行なうための機能は、エラーの発生を検出するエラー検出部１０１と、エラーが発生したジョブを検出するエラー対象ジョブ検出部１０３と、ホスト３にエラーを通知するための情報（以下、エラー情報と言う）を作成するエラー通知作成部１０５と、ホスト３にエラーを通知するエラー通知送信部１０７とを含んで構成される。
【００４８】
エラー検出部１０１は、図２に示された各部からＣＰＵ１１が受信する信号に基づいて、紙詰まり（ジャム）や通信の不通や廃トナータンク（不図示）の満杯などのエラーを検出し、エラー検出情報をエラー対象ジョブ検出部１０３とエラー通知作成部１０５とに入力する。
【００４９】
エラー対象ジョブ検出部１０３は、エラー検出部１０１からのエラー検出信号に基づいて、当該エラーが発生したときに処理されていたジョブを検出し、その情報をエラー通知作成部１０５に入力する。
【００５０】
エラー通知作成部１０５は、エラー検出部１０１からのエラー検出信号と、エラー対象ジョブ検出部１０３から入力された情報とに基づいてエラー情報を作成し、エラー通知送信部１０７に入力する。作成されるエラー情報には、少なくとも当該エラーが発生したときに処理されていたジョブの種類に関する情報が含まれ、さらに、ジョブに関するその他の情報と、発生したエラーに関する情報と、画像処理装置１を特定する情報（装置ＩＤ）とが含まれることが好ましい。
【００５１】
発生したエラーに関する情報としては、エラーの種類、画像処理装置１上でのエラーの発生場所または画像処理装置１で実行されているプログラム上でのエラーの発生位置、エラーの発生時に関する情報などが挙げられる。
【００５２】
ジョブの種類に関する情報としては、コピー、ＰＣプリント（ユーザ端末から送信されるデータのプリント）、ＢＯＸプリント（画像処理装置１内のＢＯＸとよばれるユーザ専用の記憶領域に記憶されるデータのプリント）などが挙げられる。また、ジョブに関するその他の情報としては、処理対象のデータ名、ジョブ実行者を特定する情報（ログイン情報やジョブの発行（実行）者を特定する情報であり、たとえば、コピージョブの場合はコピージョブに先立ち認証されたログイン情報（ユーザ情報）であり、プリントジョブであればプリントジョブを発行（実行）したユーザ情報である）、ジョブ実行時刻等のジョブ実行時に関する情報などが挙げられる。
【００５３】
エラー通知送信部１０７は、入力されたエラー情報をＮＩＣ１５よりネットワーク７を介してホスト３に送信する。
【００５４】
ホスト３としては、一般的なコンピュータ等が該当し、図４に、一般的なコンピュータ等で実現されるホスト３のハードウェア構成の具体例をブロック図で示す。
【００５５】
図４を参照して、ホスト３は、装置全体を制御するＣＰＵ３１と、ネットワーク７を介して他の装置と通信を行なうためのＬＡＮ（Local Area Network）カード３９（またはモデムカード）と、ハードディスクドライブ（ＨＤＤ：Hard Disc Drive）３３と、ＲＡＭ（Random Access Memory）３５と、ＣＰＵ３１で実行されるプログラムなどを記憶するＲＯＭ（Read Only Memory）３７とを含んで構成される。
【００５６】
図５は、ホスト３において、本実施の形態にかかるエラー通知処理を行なうための機能構成の具体例を示すブロック図である。図５に示される機能構成は、ＣＰＵ３１がＲＯＭ３７等に記憶されるプログラムを実行することで主にＣＰＵ３１に形成される機能である。
【００５７】
図５を参照して、ホスト３においてエラー通知処理を行なうための機能は、エラー通知を受取るエラー通知受信部３０１と、エラー通知を解析するエラー通知解析部３０３と、エラー通知を送信する送信先を決定する送信先決定部３０５と、通知されたエラーへの対処方法を検索する対処方法検索部３０７と、図６に具体例が示されるナレッジベースを記憶するナレッジベース記憶部３０９と、所定の送信先に対処方法を示した情報（以下、サポート情報と言う）を送信してエラー通知を行なう通知部３１１とを含んで構成される。
【００５８】
ナレッジベースとは、その具体例が図６に示されるように、エラーが発生したときに処理されていたジョブの種類と、サポート情報を送信する送信先との対応、およびそのジョブにおけるエラーの種類と、送信先装置に表示させる内容（対処方法）との対応を蓄積するデータベースである。
【００５９】
ナレッジベースは、予めホスト３に記憶されているものであってもよいし、情報処理システムの管理者等、特定の操作者によって作成されて記憶されるものであってもよいし、管理者等の、特定の操作者のエラーへの対応に基づいて、自動的に構築されていくものであってもよい。
【００６０】
ナレッジベース記憶部３０９は、このようなナレッジベースを記憶する、ハードディスクドライブ３３またはＲＡＭ３５の所定の記憶領域である。
【００６１】
エラー通知受信部３０１は、画像処理装置１からエラー情報を受信し、エラー通知解析部３０３に入力する。入力されたエラー情報はエラー通知解析部３０３において解析され、解析結果が送信先決定部３０５に入力される。また、エラー通知解析部３０３から対処方法検索部３０７に対して解析結果入力され、対処方法の検索要求がなされる。
【００６２】
送信先決定部３０５は、入力された解析結果に基づいて、ナレッジベース記憶部３０９にアクセスしてナレッジベースを参照し、ジョブの種類に対応した、サポート情報の送信先を決定する。
【００６３】
詳述すると、ジョブの種類に対応して送信先が、図６のように、「装置のパネル」か「ユーザ端末のパネル」かが特定される。この場合、実際の送信先は、「装置のパネル」である場合には、エラー情報によって送信された画像処理装置を特定する情報（装置ＩＤ）に基づいて決定され、「ユーザ端末のパネル」である場合には、エラー情報によって送信されたジョブ実行者を特定する情報に基づいて決定される。そして、このような実際の送信先は、画像形成装置を特定する情報（装置ＩＤ）やジョブ実行者を特定する情報がＩＰアドレスのように、直接、特定される場合であれば、これら送信された情報を直接利用して特定してもよく、また、これら送信された情報に基づいて、ホスト３に記憶されている情報を参照して、特定してもよい。
【００６４】
また、対処方法検索部３０７は、エラー通知解析部３０３からの要求に応じてナレッジベース記憶部３０９にアクセスしてナレッジベースを検索し、そのジョブにおけるエラーの種類に対応する対処方法を取得する。
【００６５】
決定されたサポート情報の送信先と取得された対処方法とは通知部３１１に入力される。通知部３１１においては、これらの情報に基づいて対処方法を表示させるためのサポート情報が作成されて、ＬＡＮ３９よりネットワーク７を介して指定された送信先に送信される。
【００６６】
ユーザ端末５としてはパーソナルコンピュータ等が該当し、図７に、一般的なパーソナルコンピュータ等で実現されるユーザ端末５のハードウェア構成の具体例をブロック図で示す。
【００６７】
図７を参照して、ユーザ端末５は、装置全体を制御するＣＰＵ５１と、ディスプレイ５５と、ネットワーク７に接続したり外部と通信を行なったりするためのＬＡＮカード５７（またはモデムカード）と、キーボードやマウスなどにより構成される入力装置５９と、フレキシブルディスクドライブ（ＦＤＤ：Flexible Disk Drive）６１と、ＣＤ−ＲＯＭ（Compact Disc-Read Only Memory）ドライブ６３と、ハードディスクドライブ６５と、ＲＡＭ６７と、ＲＯＭ６９とを含んで構成される。
【００６８】
フレキシブルディスクドライブ６１によりフレキシブルディスクＦに記録されたプログラムなどのデータを読取ることが可能であり、ＣＤ−ＲＯＭドライブ６３によりＣＤ−ＲＯＭ６１３ａに記録されたプログラムなどのデータを読取ることが可能である。
【００６９】
ユーザ端末５の機能構成は、一般的なパーソナルコンピュータの機能構成と同様である。
【００７０】
図８は、第１の実施の形態にかかるエラー通知処理を示すフローチャートである。図８のフローチャートに示される処理は、画像処理装置１のＣＰＵ１１およびホスト３のＣＰＵ３１において、記憶部１３およびＲＯＭ３７に記憶されるプログラムを読出して実行することによって実現される。
【００７１】
図８を参照して、始めに、画像処理装置１では、エラー検出部１０１において、エラーの発生が検出されると（ステップＳ１０１でＹＥＳ）、上記各部において処理がなされて、エラー通知送信部１０７よりエラー通知作成部１０５で作成されたエラー情報がホスト３に送信されて、ホスト３にエラーが通知される（ステップＳ１０３）。画像処理装置１での処理は以上で終了する。
【００７２】
次に、ホスト３では、エラー通知受信部３０１において上記ステップＳ１０３で送信されたエラー情報が受信されると（ステップＳ２０１でＹＥＳ）、送信先決定部３０５においてサポート情報の送信先が決定される（ステップＳ２０３）。また、エラー通知解析部３０３より対象方法検索部３０７に対して対象方法の検索が要求される（ステップＳ２０５）。
【００７３】
上記要求が対処方法検索部３０７で受信されると（ステップＳ３０１でＹＥＳ）、ナレッジベース記憶部３０９に記憶されるナレッジベースにアクセスして検索が実行されて（ステップＳ３０３）、エラー通知解析部３０３での解析で得られるジョブの種類とエラーの種類とに基づいて、そのジョブにおけるエラーの種類に応じた対処方法が取得される。取得された対処方法は、検索結果として、対処方法検索部３０７から通知部３１１に送付される（ステップＳ３０５）。
【００７４】
通知部３１１において上記検索結果が取得されると（ステップＳ２０７でＹＥＳ）、ステップＳ２０３で決定された送信先に対して、対処方法を表示させるためのサポート情報が送信されて、エラーが通知される（ステップＳ２０９）。
【００７５】
上記送信先としては画像処理装置１またはユーザ端末５が該当する。これらの装置においてサポート情報が受信された場合、所定のプログラムが実行されて、パネル１７またはディスプレイ５５に対処方法が表示される。また、対処方法を表示することでたとえば他のユーザの操作の妨げになる場合など、所定の条件を満たす場合には、表示を行なわない、所定時間経過後に表示を行なう、予め設定された他の装置にサポート情報を転送する等のその他の処理が実行されてもよい。
【００７６】
なお、本実施の形態においては、情報処理システムに遠隔診断するホスト３が含まれて、ホスト３よりサポート情報が送信されるエラー通知処理が実行されるものとしているが、画像処理装置１において自己診断を行なってエラー通知処理が実行されてもよいし、ユーザ端末５においてエラー通知処理が実行されてもよい。その場合、図５に示される機能
は、画像処理装置１またはユーザ端末５に含まれる。
【００７７】
本実施の形態にかかる情報処理システムにおいてこのようなエラー通知処理が実行されることで、ジョブ実行時にエラーが発生した場合に、対処するユーザが画像処理装置付近にいるのか、ユーザ端末付近にいるのかを考慮して、適切な送信先にエラーを通知し、サポート情報を送信することができる。そのため、エラーに対して、素早く適切な対処を行なうことが可能になる。
【００７８】
［第２の実施の形態］
図９は、第２の実施の形態にかかる情報処理システムの構成の具体例を示す図である。
【００７９】
図９を参照して、第２の実施の形態にかかる情報処理システムは、複数の画像処理装置１Ａ〜１Ｎと、画像処理装置１Ａ〜１Ｎを遠隔診断するホスト３と、複数のユーザ端末５Ａ〜５Ｍとを含んで構成され、それらの機器が有線または無線のネットワーク７を介して接続されている。
【００８０】
画像処理装置１Ａ〜１Ｎのハードウェア構成および機能構成は、第１の実施の形態にかかる画像処理装置１のハードウェア構成および機能構成（図２，図３）と同様である。また、ユーザ端末５Ａ〜５Ｍのハードウェア構成は、第１の実施の形態にかかるユーザ端末５のハードウェア構成（図７）と同様である。ユーザ端末５Ａ〜５Ｍの機能構成は、一般的なパーソナルコンピュータの機能構成と同様である。
【００８１】
本実施の形態にかかる情報処理システムでは、いわゆるワークフローと言われるジョブ群が処理対象となる。ワークフローとは、複数のジョブの組合わせで構成されるジョブ群であって、各ジョブが所定のタイミング（所定のユーザ、所定の順）で実行されるジョブ群である。上記所定のタイミングについての情報は、ワークフローのヘッダ部等に含まれてもよいし、管理装置等の特定の装置に記憶されてもよい。
【００８２】
本実施の形態にかかる情報処理システムではワークフローを処理対象とするので、画像処理装置１Ａ〜１Ｎのエラー通知作成部１０５が作成するエラー情報に含まれる、エラーが発生したときに処理されていたジョブを特定する情報には、ジョブの種類、処理対象のデータ名、ジョブ実行者を特定する情報（ログイン情報等）、ジョブ実行時に関する情報に加えて、他のジョブの情報として、ワークフロー開始者を特定する情報、エラーが発生したときに処理されていたジョブの直前のジョブ実行者を特定する情報、エラーが発生したときに処理されていたジョブの直後に実行されるべきジョブの実行者を特定する情報、およびエラーの発生した画像処理装置を特定する情報（装置ＩＤ）が含まれる。なお、後述する図１０のジョブの種類とサポート情報を送信する送信先との対応において、送信先として、エラーの発生したジョブの前後のジョブを実行した画像処理装置が対応付けられている場合は、この他のジョブの情報として、さらに、エラーの発生したジョブの前のジョブを実行した画像処理装置を特定する情報（装置ＩＤ）、およびエラーの発生したジョブの次のジョブを実行する予定である画像処理装置を特定する情報（装置ＩＤ）などが含まれる。
【００８３】
また、ナレッジベース記憶部３０９に記憶されるナレッジベースにおいて、ジョブの種類とサポート情報を送信する送信先との対応は、具体例が図１０に示されるように、ワークフローにおけるそのジョブの実行されるタイミングに応じて決定されるものとなる。
【００８４】
具体的には、図１０を参照して、ジョブの種類ごとに、エラー発生時にそのジョブの処理がなされていた場合に、ジョブ実行者、そのジョブを含むワークフローの実行開始者、そのジョブの直前のジョブの実行者、そのジョブの次に実行されるべきジョブの実行者のうち、どの実行者のユーザ端末を送信先とするかが定められている。この対応付けも、予めホスト３に記憶されているものであってもよいし、情報処理システムの管理者等、特定の操作者によって作成されて記憶されるものであってもよいし、管理者等の、特定の操作者のエラーへの対応に基づいて、自動的に構築されていくものであってもよい。
【００８５】
第２の実施の形態にかかるエラー通知処理は、図８のフローチャートに示された、第１の実施の形態にかかるエラー通知処理と同様である。ここで、ワークフローの処理の流れの具体例を図１１に挙げて、当該ワークフローを構成する各ジョブ実行中にエラーが発生した場合のエラー通知処理について説明する。
【００８６】
図１１を参照して、具体例に挙げるワークフローは、以下のジョブ１〜ジョブ５が組合わされて、各ユーザＡ〜Ｅにおいて、その順に実行されることが設定されているものとする。
ジョブ１（ＰＣ  ｔｏ  ｏｔｈｅｒ  ＢＯＸ）：ユーザＡが、画像データを、ユーザ端末５Ａから画像処理装置１ＡのユーザＢのＢＯＸに送信
ジョブ２（ＢＯＸ  ｔｏ  ＰＣ）：ユーザＢが、画像データの１枚目だけを、画像処理装置１ＡのユーザＢのＢＯＸからユーザ端末５Ａに送信
ジョブ３（ＢＯＸ  ｔｏ  ｏｔｈｅｒ  ＢＯＸ）：ユーザＢが、画像データを、画像処理装置１ＡのユーザＢのＢＯＸから画像処理装置１ＢのユーザＤのＢＯＸに送信
ジョブ４（ＢＯＸ  ｔｏ  ＰＣ）：ユーザＤが、画像データの１枚目だけを、画像処理装置１ＢのユーザＤのＢＯＸからユーザ端末５Ｂに送信
ジョブ５（ＢＯＸプリント）：ユーザＤが、画像データを、画像処理装置１ＢのユーザＤのＢＯＸからプリントアウト
【００８７】
ジョブ１（ＰＣ  ｔｏ  ｏｔｈｅｒ  ＢＯＸ）実行中に画像処理装置１Ａにおいてエラーが発生した場合、ホスト３では、ステップＳ２０３で、エラー通知解析部３０３において、ステップＳ２０１で画像処理装置１Ａから受信したエラー情報よりワークフロー実行中にエラーが発生したことを検出し、送信先決定部３０５において、図１０に示されるナレッジベースを参照して、ジョブ１の実行者およびワークフローの処理の開始者であるユーザＡ（ユーザ端末）と、続くジョブ２の実行者であるユーザＢ（ユーザ端末）とがサポート情報の送信先として決定される。
【００８８】
また、ジョブ２（ＢＯＸ  ｔｏ  ＰＣ）実行中に画像処理装置１Ａにおいてエラーが発生した場合、ホスト３では、ステップＳ２０３で、エラー通知解析部３０３において、ステップＳ２０１で画像処理装置１Ａから受信したエラー情報よりワークフロー実行中にエラーが発生したことを検出し、送信先決定部３０５において、図１０に示されるナレッジベースを参照して、ジョブ２の実行者および続くジョブ３の実行者であるユーザＢ（ユーザ端末）と、ワークフローの処理の開始者であるユーザＡ（ユーザ端末）とがサポート情報の送信先として決定される。
【００８９】
ジョブ３（ＢＯＸ  ｔｏ  ｏｔｈｅｒ  ＢＯＸ）実行中に画像処理装置１Ａにおいてエラーが発生した場合、ホスト３では、ステップＳ２０３で、エラー通知解析部３０３において、ステップＳ２０１で画像処理装置１Ａから受信したエラー情報よりワークフロー実行中にエラーが発生したことを検出し、送信先決定部３０５において、図１０に示されるナレッジベースを参照して、ジョブ３の実行者および前のジョブ２の実行者であるユーザＢ（ユーザ端末）と、ワークフローの処理の開始者であるユーザＡ（ユーザ端末）とがサポート情報の送信先として決定される。
【００９０】
ジョブ４（ＢＯＸ  ｔｏ  ＰＣ）実行中に画像処理装置１Ｂにおいてエラーが発生した場合、ホスト３では、ステップＳ２０３で、エラー通知解析部３０３において、ステップＳ２０１で画像処理装置１Ｂから受信したエラー情報よりワークフロー実行中にエラーが発生したことを検出し、送信先決定部３０５において、図１０に示されるナレッジベースを参照して、ジョブ４の実行者および続くジョブ５の実行者であるユーザＤ（ユーザ端末）と、ワークフローの処理の開始者であるユーザＡ（ユーザ端末）とがサポート情報の送信先として決定される。
【００９１】
ジョブ５（ＢＯＸプリント）実行中に画像処理装置１Ｂにおいてエラーが発生した場合、ホスト３では、ステップＳ２０３で、エラー通知解析部３０３において、ステップＳ２０１で画像処理装置１Ｂから受信したエラー情報よりワークフロー実行中にエラーが発生したことを検出し、送信先決定部３０５において、図１０に示されるナレッジベースを参照して、ジョブ５の実行者であるユーザＤ（ユーザ端末）と、ワークフローの処理の開始者であるユーザＡ（ユーザ端末）とがサポート情報の送信先として決定される。なお、実際の送信先については、上述した第１の実施の形態と同様に特定することができる。
【００９２】
以降、第１の実施の形態にかかるエラー通知処理と同様の処理が実行されて、決定された送信先にサポート情報が送信される。
【００９３】
本実施の形態にかかる情報処理システムにおいてこのようなエラー通知処理が実行されることで、ワークフローにかかるジョブ実行時にエラーが発生した場合に、ジョブ実行者のみならず、ワークフローの開始者など、ワークフローに関連する、適切な送信先にエラーを通知し、サポート情報を送信することができる。そのため、エラーに対して、素早く適切な対処を行なうことが可能になる。
【００９４】
さらに、本実施の形態にかかる情報処理システムでは、第１の実施の形態にかかるエラー通知処理と第２の実施の形態にかかるエラー通知処理とが組合わせて行なわれてもよい。その場合、ホスト３のナレッジベース記憶部３０９には、図６に示されたような通常のジョブ処理中にエラーが発生した場合に用いられるナレッジベースと、図１０に示されたようなワークフローにかかるジョブ処理中にエラーが発生した場合に用いられるナレッジベースとの両方が記憶される。上記ステップＳ２０３では、エラー通知解析部３０３においてステップＳ２０１で画像処理装置１から受信したエラー情報より、通常のジョブ処理中にエラーが発生したのか、ワークフローにかかるジョブ処理中にエラーが発生したのかが判断されて、以降の処理において、その結果に応じたナレッジベースが用いられる。
【００９５】
また、上述の情報処理システムで実行されるエラー通知方法を、プログラムとして提供することもできる。このようなプログラムは、コンピュータに付属するフレキシブルディスク、ＣＤ−ＲＯＭ、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９６】
提供されるプログラム製品は、ハードディスクなどのプログラム格納部にインストールされて実行される。なお、プログラム製品は、プログラム自体と、プログラムが記録された記録媒体とを含む。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９８】
【図１】第１の実施の形態にかかる情報処理システムの構成の具体例を示す図である。
【図２】画像処理装置１のハードウェア構成の具体例を示すブロック図である。
【図３】画像処理装置１において、本実施の形態にかかるエラー通知処理を行なうための機能構成の具体例を示すブロック図である。
【図４】ホスト３のハードウェア構成の具体例を示すブロック図である。
【図５】ホスト３において、本実施の形態にかかるエラー通知処理を行なうための機能構成の具体例を示すブロック図である。
【図６】第１の実施の形態にかかるナレッジベースの具体例を示す図である。
【図７】ユーザ端末５のハードウェア構成の具体例を示すブロック図である。
【図８】第１の実施の形態にかかるエラー通知処理を示すフローチャートである。
【図９】第２の実施の形態にかかる情報処理システムの構成の具体例を示す図である。
【図１０】第１の実施の形態にかかるナレッジベースのうち、ジョブの種類とサポート情報を送信する送信先との対応を示す図である。
【図１１】ワークフローの処理の流れの具体例を示す図である。
【符号の説明】
【００９９】
１，１Ａ〜１Ｎ  画像処理装置、３  ホスト、５，５Ａ〜５Ｍ  ユーザ端末、７  ネットワーク、１１，３１，５１  ＣＰＵ、１３  記憶部、１５  ＮＩＣ、１７  パネル、２１  プリンタ部、２３  センサ部、３９  イメージリーダ部、３９，５７  ＬＡＮ、３３，６５  ハードディスクドライブ、３５，６７  ＲＡＭ、３７，６９  ＲＯＭ、５５  ディスプレイ、５９  入力装置、６１  フレキシブルディスクドライブ、１０１  エラー検出部、１０３  エラー対象ジョブ検出部、１０５  エラー通知作成部、１０７  エラー通知送信部、３０１  エラー通知受信部、３０３  エラー通知解析部、３０５  送信先決定部、３０７  対処方法検索部、３０９  ナレッジベース記憶部、３１１  通知部。
【図１】
2007060404.tif 000003
【図２】
2007060404.tif 000004
【図３】
2007060404.tif 000005
【図４】
2007060404.tif 000006
【図５】
2007060404.tif 000007
【図６】
2007060404.tif 000008
【図７】
2007060404.tif 000009
【図８】
2007060404.tif 000010
【図９】
2007060404.tif 000011
【図１０】
2007060404.tif 000012
【図１１】
2007060404.tif 000013
【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
情報処理装置より、エラー発生時に処理されていたジョブの種類に関する情報を取得する取得ステップと、
ジョブの種類とサポート情報を送信する送信先との対応を記憶する記憶装置にアクセスし、前記取得ステップにおいて取得された前記ジョブの種類に関する情報に基づいて送信先を決定する送信先決定ステップと、
前記決定ステップにおいて決定された送信先に、サポート情報を送信する送信ステップとを備える、エラー通知方法。
【請求項２】
前記取得ステップにおいて、前記情報処理装置より、発生した前記エラーに関する情報をさらに取得し、
エラーの種類とサポート情報との対応が記憶されたサポート情報記憶装置にアクセスして、前記エラーに関する情報に応じたサポート情報を決定するサポート情報決定ステップをさらに備え、
前記送信ステップにおいて、前記送信先決定ステップで決定された前記送信先に、前記サポート情報決定ステップで決定された前記サポート情報を送信する、請求項１に記載のエラー通知方法。
【請求項３】
前記取得ステップにおいて、前記情報処理装置より、前記ジョブの実行者に関する情報と、前記情報処理装置の識別情報とをさらに取得し、
前記送信先決定ステップにおいて、前記ジョブの種類に関する情報、前記ジョブの実行者に関する情報、および前記情報処理装置の識別情報に基づいて送信先を決定する、請求項２に記載のエラー通知方法。
【請求項４】
前記ジョブは、他のジョブと共に構成されるジョブ群に含まれる１つのジョブであり、前記ジョブと前記他のジョブとは所定のタイミングで実行されるものであり、
前記取得ステップにおいて、前記情報処理装置より前記他のジョブに関する情報をさらに取得し、
前記送信先決定ステップにおいて、前記ジョブの種類に関する情報、および前記他のジョブに関する情報に基づいて送信先を決定する、請求項１〜３のいずれかに記載のエラー通知方法。
【請求項５】
前記他のジョブに関する情報は、前記他のジョブの実行者に関する情報を含む、請求項４に記載のエラー通知方法。
【請求項６】
情報処理装置において、エラーの発生を検出するステップと、
前記エラーの発生時に処理されていたジョブを検出するステップと、
前記情報処理装置から他の装置に対して、前記ジョブの種類に関する情報を送信する送信ステップとを備える、エラー通知方法。
【請求項７】
前記送信ステップにおいて、前記エラーに関する情報をさらに送信する、請求項６に記載のエラー通知方法。
【請求項８】
前記送信ステップにおいて、前記ジョブの実行者に関する情報と、前記情報処理装置の識別情報とをさらに送信する、請求項７に記載のエラー通知方法。
【請求項９】
前記ジョブは、他のジョブと共に構成されるジョブ群に含まれる１つのジョブであり、前記ジョブと前記他のジョブとは所定のタイミングで実行されるものであり、
前記送信ステップにおいて、前記他のジョブに関する情報をさらに送信する、請求項６〜８のいずれかに記載のエラー通知方法。
【請求項１０】
前記他のジョブに関する情報は、前記他のジョブの実行者に関する情報を含む、請求項９に記載のエラー通知方法。
【請求項１１】
情報処理装置におけるエラーを通知する処理をコンピュータに実行させるプログラムであって、
前記情報処理装置より、エラー発生時に処理されていたジョブの種類に関する情報を取得する取得ステップと、
ジョブの種類とサポート情報を送信する送信先との対応を記憶する記憶装置にアクセスし、前記取得ステップにおいて取得された前記ジョブの種類に関する情報に基づいて送信先を決定する送信先決定ステップと、
前記決定ステップにおいて決定された送信先に、サポート情報を送信する送信ステップとを実行させる、エラー通知プログラム。
【請求項１２】
前記取得ステップにおいて、前記情報処理装置より、発生した前記エラーに関する情報をさらに取得し、
エラーの種類とサポート情報との対応が記憶されたサポート情報記憶装置にアクセスして、前記エラーに関する情報に応じたサポート情報を決定するサポート情報決定ステップをさらに実行させ、
前記送信ステップにおいて、前記送信先決定ステップで決定された前記送信先に、前記サポート情報決定ステップで決定された前記サポート情報を送信する、請求項１１に記載のエラー通知プログラム。
【請求項１３】
前記取得ステップにおいて、前記情報処理装置より、前記ジョブの実行者に関する情報と、前記情報処理装置の識別情報とをさらに取得し、
前記送信先決定ステップにおいて、前記ジョブの種類に関する情報、前記ジョブの実行者に関する情報、および前記情報処理装置の識別情報に基づいて送信先を決定する、請求項１２に記載のエラー通知プログラム。
【請求項１４】
前記ジョブは、他のジョブと共に構成されるジョブ群に含まれる１つのジョブであり、前記ジョブと前記他のジョブとは所定のタイミングで実行されるものであり、
前記取得ステップにおいて、前記情報処理装置より前記他のジョブに関する情報をさらに取得し、
前記送信先決定ステップにおいて、前記ジョブの種類に関する情報、および前記他のジョブに関する情報に基づいて送信先を決定する、請求項１１〜１３のいずれかに記載のエラー通知プログラム。
【請求項１５】
前記他のジョブに関する情報は、前記他のジョブの実行者に関する情報を含む、請求項１４に記載のエラー通知プログラム。
【請求項１６】
情報処理装置においてエラーを通知する処理を、コンピュータに実行させるプログラムであって、
前記情報処理装置において、エラーの発生を検出するステップと、
前記エラーの発生時に処理されていたジョブを検出するステップと、
前記情報処理装置から他の装置に対して、前記ジョブの種類に関する情報を送信する送信ステップとを実行させる、エラー通知プログラム。
【請求項１７】
前記送信ステップにおいて、前記エラーに関する情報をさらに送信する、請求項１６に記載のエラー通知プログラム。
【請求項１８】
前記送信ステップにおいて、前記ジョブの実行者に関する情報と、前記情報処理装置の識別情報とをさらに送信する、請求項１７に記載のエラー通知プログラム。
【請求項１９】
前記ジョブは、他のジョブと共に構成されるジョブ群に含まれる１つのジョブであり、前記ジョブと前記他のジョブとは所定のタイミングで実行されるものであり、
前記送信ステップにおいて、前記他のジョブに関する情報をさらに送信する、請求項１６〜１８のいずれかに記載のエラー通知プログラム。
【請求項２０】
前記他のジョブに関する情報は、前記他のジョブの実行者に関する情報を含む、請求項１９に記載のエラー通知プログラム。
【請求項２１】
情報処理装置より、エラー発生時に処理されていたジョブの種類に関する情報を取得する取得手段と、
ジョブの種類とサポート情報を送信する送信先との対応を記憶する記憶装置にアクセスし、前記取得手段で取得された前記ジョブの種類に関する情報に基づいて送信先を決定する送信先決定手段と、
前記決定手段で決定された送信先に、サポート情報を送信する送信手段とを備える、エラー通知装置。
【請求項２２】
前記取得手段は、前記情報処理装置より、発生した前記エラーに関する情報をさらに取得し、
エラーの種類とサポート情報との対応が記憶されたサポート情報記憶装置にアクセスして、前記エラーに関する情報に応じたサポート情報を決定するサポート情報決定手段をさらに備え、
前記送信手段は、前記送信先決定手段で決定された前記送信先に、前記サポート情報決定手段で決定された前記サポート情報を送信する、請求項２１に記載のエラー通知装置。
【請求項２３】
前記取得手段は、前記情報処理装置より、前記ジョブの実行者に関する情報と、前記情報処理装置の識別情報とをさらに取得し、
前記送信先決定手段は、前記ジョブの種類に関する情報、前記ジョブの実行者に関する情報、および前記情報処理装置の識別情報に基づいて送信先を決定する、請求項２２に記載のエラー通知装置。
【請求項２４】
前記ジョブは、他のジョブと共に構成されるジョブ群に含まれる１つのジョブであり、前記ジョブと前記他のジョブとは所定のタイミングで実行されるものであり、
前記取得手段は、前記情報処理装置より前記他のジョブに関する情報をさらに取得し、
前記送信先決定手段は、前記ジョブの種類に関する情報、および前記他のジョブに関する情報に基づいて送信先を決定する、請求項２１〜２３のいずれかに記載のエラー通知装置。
【請求項２５】
前記他のジョブに関する情報は、前記他のジョブの実行者に関する情報を含む、請求項２４に記載のエラー通知装置。
【請求項２６】
エラーの発生を検出する手段と、
前記エラーの発生時に処理されていたジョブを検出する手段と、
他の装置に対して、前記ジョブの種類に関する情報を送信する送信手段とを備える、エラー通知装置。
【請求項２７】
前記送信手段は、前記エラーに関する情報をさらに送信する、請求項２６に記載のエラー通知装置。
【請求項２８】
前記送信手段は、前記ジョブの実行者に関する情報と、当該エラー通知装置の識別情報とをさらに送信する、請求項２７に記載のエラー通知装置。
【請求項２９】
前記ジョブは、他のジョブと共に構成されるジョブ群に含まれる１つのジョブであり、前記ジョブと前記他のジョブとは所定のタイミングで実行されるものであり、
前記送信手段は、前記他のジョブに関する情報をさらに送信する、請求項２６〜２８のいずれかに記載のエラー通知装置。
【請求項３０】
前記他のジョブに関する情報は、前記他のジョブの実行者に関する情報を含む、請求項２９に記載のエラー通知装置。
【手続補正２】
【補正対象書類名】明細書
【補正対象項目名】００３４
【補正方法】変更
【補正の内容】
【００３４】
本発明のさらに他の局面に従うと、エラー通知装置は、エラーの発生を検出する手段と、エラーの発生時に処理されていたジョブを検出する手段と、他の装置に対して、ジョブの種類に関する情報を送信する送信手段とを備える。
【手続補正３】
【補正対象書類名】明細書
【補正対象項目名】００３５
【補正方法】変更
【補正の内容】
【００３５】
また、送信手段は、エラーに関する情報も送信することが好ましい。
さらに、送信手段は、ジョブの実行者に関する情報と、当該エラー通知装置の識別情報とを送信することがより好ましい。
【手続補正４】
【補正対象書類名】明細書
【補正対象項目名】００７２
【補正方法】変更
【補正の内容】
【００７２】
次に、ホスト３では、エラー通知受信部３０１において上記ステップＳ１０３で送信されたエラー情報が受信されると（ステップＳ２０１でＹＥＳ）、送信先決定部３０５においてサポート情報の送信先が決定される（ステップＳ２０３）。また、エラー通知解析部３０３より対処方法検索部３０７に対して対処方法の検索が要求される（ステップＳ２０５）。